(57)【要約】【課題】ディスクトレイを移動するときの操作性を向上する。【解決手段】トレイユニット５を引出し位置から第１所定位置まで移動して、トレイ移動検出スイッチ４３がオンすると、モータ駆動制御回路は、スピンドルモータ２５をＣ方向に低速回転して、ディスク４を低速回転する。回転するディスク４とディスク接触パッド４１との摩擦により、トレイユニット５の格納位置に向けた移動がアシストされる。トレイユニット５は、格納位置でのロックが解除されると、イジェクトシャフト４８及びコイルバネにより、引出し位置に向けて移動する。この移動により格納位置検出スイッチ４５がオフすると、モータ駆動制御回路は、スピンドルモータ２５をＤ方向に低速回転して、ディスク４を低速回転する。トレイユニット５が第２所定位置まで移動すると、回転するディスク４とディスク接触パッド４１との摩擦により、トレイユニット５が引出し位置に向けて自走する。【選択図】図５
2010176737.tif 000002
【特許請求の範囲】
【請求項１】
ケースから引き出された引出し位置と、前記ケース内部に格納された格納位置との間で移動するディスクトレイを備えたディスク装置において、
前記ディスクトレイに設けられ、ディスクを保持して回転するディスク駆動部と、
前記ケースに設けられ、前記ディスクトレイが前記引出し位置と前記格納位置との間の所定区間内を移動中に、前記ディスクの周縁に接触するディスク接触パッドと、
前記ディスクが前記ディスク接触パッドに接触して回転することにより、前記ディスクトレイが前記引出し位置または前記格納位置に向けて移動するように前記ディスク駆動部を駆動して前記ディスクを回転する駆動制御手段と、
を備えることを特徴とするディスク装置。
【請求項２】
前記ディスクが前記ディスク接触パッドに接触していることを検出する検出手段を備え、
前記駆動制御手段は、前記ディスクトレイが前記格納位置に向けて移動するときには、前記検出手段からの検出信号に応じて、前記ディスク駆動部を介して前記ディスクを第１方向に回転させて、前記ディスクトレイを前記格納位置に向けて移動させ、前記ディスクトレイが前記格納位置から前記引出し位置に向けて移動するときには、移動開始時から前記ディスクを第２方向に回転させ、前記ディスクトレイを前記引出し位置に向けて移動させることを特徴とする請求項１記載のディスク装置。
【請求項３】
前記ディスク駆動部は、前記ディスクが前記ディスク接触パッドに接触している間は、記録／再生時よりも低速で前記ディスクを回転させるとともに、
前記ディスクが前記ディスク接触パッドから離れた後は、前記ディスクトレイが前記格納位置に向けて移動中の場合には、前記ディスクを高速回転させ、また前記ディスクトレイが前記引出し位置に向けて移動中の場合には、前記ディスクを回転停止させることを特徴とする請求項１または２記載のディスク装置。
【請求項４】
ディスクトレイがケースから引き出された引出し位置から、前記ケース内に格納された格納位置に向けて移動する間に、前記ディスクトレイに保持されたディスクが前記ケース内のディスク接触パッドに接触したときに、前記ディスクを第１の方向に回転させて前記ディスクトレイを移動させ、または前記格納位置から前記引出し位置に向けて移動する間に、前記ディスクトレイに保持されたディスクが前記ケース内のディスク接触パッドに接触したときに、前記ディスクを第２の方向に回転させて前記ディスクトレイを移動させることを特徴とするディスクトレイの移動方法。
【発明の詳細な説明】
【技術分野】
【０００１】
本発明は、ディスクが装填されるディスクトレイを有するディスク装置及びディスクトレイの移動方法に関するものである。
【背景技術】
【０００２】
ディスク装置は、ターンテーブルに装着されたディスクをスピンドルモータで回転させながら、ピックアップヘッドを移動して、ディスクにデータを高密度で記録したり、あるいはディスクのデータを読み出して再生する。このディスク装置は、電子機器、例えばパソコン本体等に内蔵されたり、あるいは外付けされて用いられる。ディスク装置は、ディスクが載せられるディスクトレイを有し、このディスクトレイはケース内部に格納される格納位置と、ケースから引き出された引出し位置との間で移動する。
【０００３】
従来のディスク装置としては、特許文献１に示すように、ディスクトレイに、スピンドルモータやピックアップヘッドを設けたものが一般的である。このディスク装置では、イジェクトボタンを押圧すると、ディスクトレイは、格納位置でのロックが解除されて、バネによって引出し位置に向けて所定量（例えば１０ｍｍ程度）イジェクトされる。そして、所定量イジェクトされたディスクトレイを、手動で引出し位置まで移動する。また、ディスクトレイを引出し位置から格納位置まで移動するときには、手動でディスクトレイを格納位置へ押し込む。
【先行技術文献】
【特許文献】
【０００４】
【特許文献１】特開２００４−２８１０４８号公報
【発明の概要】
【発明が解決しようとする課題】
【０００５】
イジェクトボタンが押圧されると、スピンドルモータの駆動停止制御が行われるが、ディスクにデータを記録／再生しているときには、スピンドルモータは、高速（例えば３０００ｒｐｍ）で回転しているため、直ぐには回転が停止せずに、ディスクトレイが引出し位置に向けてイジェクトされたときにも、スピンドルモータ及びディスクは惰性で回転した状態となっている。ユーザが回転中のディスクに触れると、怪我をする恐れがあるため、特許文献１では、ディスクトレイが引出し位置に向けてイジェクトされたときに、回転中のディスクに接触してその回転を停止するブレーキパッドをケース内部に設けている。しかし、ディスクトレイを、格納位置まで押し込んだり、引出し位置まで引き出すときに、ディスクがブレーキパッドに接触する。この接触が抵抗となるため、ディスクトレイを移動するときに大きな力が必要となり、操作性が悪いという問題があった。
【０００６】
本発明は、上記課題を解決するためになされたものであり、ディスクトレイを移動するときの操作性を向上することができるディスク装置及びディスクトレイの移動方法を提供することを目的とする。
【課題を解決するための手段】
【０００７】
上記目的を達成するために、本発明のディスク装置は、ケースから引き出された引出し位置と、前記ケース内部に格納された格納位置との間で移動するディスクトレイを備えたディスク装置において、前記ディスクトレイに設けられ、ディスクを保持して回転するディスク駆動部と、前記ケースに設けられ、前記ディスクトレイが前記引出し位置と前記格納位置との間の所定区間内を移動中に、前記ディスクの周縁に接触するディスク接触パッドと、前記ディスクが前記ディスク接触パッドに接触して回転することにより、前記ディスクトレイが前記引出し位置または前記格納位置に向けて移動するように前記ディスク駆動部を駆動して前記ディスクを回転する駆動制御手段と、を備えることを特徴とする。
【０００８】
また、前記ディスクが前記ディスク接触パッドに接触していることを検出する検出手段を備え、前記駆動制御手段は、前記ディスクトレイが前記格納位置に向けて移動するときには、前記検出手段からの検出信号に応じて、前記ディスク駆動部を介して前記ディスクを第１方向に回転させて、前記ディスクトレイを前記格納位置に向けて移動させ、前記ディスクトレイが前記格納位置から前記引出し位置に向けて移動するときには、移動開始時から前記ディスクを第２方向に回転させ、前記ディスクトレイを前記引出し位置に向けて移動させることが好ましい。なお、前記検出手段としては、スイッチやフォトセンサ等が挙げられる。
【０００９】
さらに、前記ディスク駆動部は、前記ディスクが前記ディスク接触パッドに接触している間は、記録／再生時よりも低速で前記ディスクを回転させるとともに、前記ディスクが前記ディスク接触パッドから離れた後は、前記ディスクトレイが前記格納位置に向けて移動中の場合には、前記ディスクを高速回転させ、また前記ディスクトレイが前記引出し位置に向けて移動中の場合には、前記ディスクを回転停止させることが好ましい。
【００１０】
また、本発明のディスクトレイの移動方法は、ディスクトレイがケースから引き出された引出し位置から、前記ケース内に格納された格納位置に向けて移動する間に、前記ディスクトレイに保持されたディスクが前記ケース内のディスク接触パッドに接触したときに、前記ディスクを第１の方向に回転させて前記ディスクトレイを移動させ、または前記格納位置から前記引出し位置に向けて移動する間に、前記ディスクトレイに保持されたディスクが前記ケース内のディスク接触パッドに接触したときに、前記ディスクを第２の方向に回転させて前記ディスクトレイを移動させることを特徴とする。
【発明の効果】
【００１１】
本発明によれば、ディスクトレイの移動区間内に、ディスクの周縁に接触するディスク接触パッドを設け、ディスクがディスク接触パッドに接触する間にディスクを回転するから、ディスクトレイを移動またはアシストすることができる。これにより、ディスクトレイを移動するときの操作性を向上することができる。
【図面の簡単な説明】
【００１２】
【図１】本発明のディスク装置を備えたノート型パソコンの外観図である。
【図２】上カバーを取り外した状態でトレイユニットが引出し位置にあるときのディスク装置を示す斜視図である。
【図３】トレイユニットが格納位置にあるときのディスク装置を示す斜視図である。
【図４】上カバーを取り外した状態でトレイユニットが引出し位置にあるときのディスク装置を示す平面図である。
【図５】上カバーを取り外した状態でトレイユニットが第１所定位置にあるときのディスク装置を示す平面図である。
【図６】上カバーを取り外した状態でトレイユニットが第２所定位置にあるときのディスク装置を示す平面図である。
【図７】上カバーを取り外した状態でトレイユニットが格納位置にあるときのディスク装置を示す平面図である。
【図８】ディスク装置の電気的構成を示すブロック図である
【図９】トレイユニットが引出し位置から格納位置まで移動するときのタイミングチャートである。
【図１０】トレイユニットが格納位置から引出し位置まで移動するときのタイミングチャートである。
【発明を実施するための最良の形態】
【００１３】
図１において、ノート型パソコン３は、ディスク装置２がパソコン本体３ａに組み込まれている。ディスク装置２は、ディスク４が装着されるトレイユニット５と、トレイユニット５を出し入れ可能にするケース９（図３参照）とを備える。トレイユニット５の前面には、イジェクトボタン６ａを有するフロントベゼル６が取り付けられている。ケース９は、ケース本体７及び上カバー８（図３参照）から構成されている。
【００１４】
図２に示すように、ケース本体７の両側には、左スライドレール１１と右スライドレール１２とが、スライド自在に取り付けられている。トレイユニット５は、各スライドレール１１，１２に対して移動自在に支持されており、ケース９内部に格納される格納位置（図３参照）と、ケース９から引き出された引出し位置（図２参照）との間で移動する。
【００１５】
図２及び図３に示すように、トレイユニット５は、ディスク４が載せられるディスクトレイ１７と、ピックアップヘッド１８と、ディスク４を保持して回転するディスク駆動部１９とを備える。ピックアップヘッド１８は、ディスク４の半径方向に移動自在に設けられ、スレッドモータ２０（図８参照）により移動する。ディスクトレイ１７には、ディスク４の半径方向に延びた開口２１が形成されたカバープレート２２がネジ２３ａ，２３ｂにより固定されている。ピックアップヘッド１８は、この開口２１を通してディスク４にアクセスし、回転中のディスク４にデータを記録／再生する。
【００１６】
ディスク駆動部１９は、ディスク４を回転させるスピンドルモータ２５を備え、ディスクトレイ１７に取り付けられている。このスピンドルモータ２５は、ディスク４にデータを記録／再生するときの回転速度（例えば３０００ｒｐｍ）に比べて低速（例えば２００ｒｐｍ）で回転するときにも高トルクを発生するものから構成されている。スピンドルモータ２５の駆動軸には、ターンテーブル２６が固定されている。このターンテーブル２６には、チャッキングヘッド２７が一体に形成されている。ディスク４をディスクトレイ１７に載せてから押し込むと、ディスク４のディスク孔４ａ（図１参照）がチャッキングヘッド２７に嵌合され、ディスク４がターンテーブル２６上に保持される。チャッキングヘッド２７には、バネで付勢された複数のチャッキング爪２７ａが設けられている。このチャッキング爪２７ａにより、ディスク４は着脱可能に係止される。
【００１７】
ディスクトレイ１７には、ピックアップヘッド１８、スレッドモータ２０及びスピンドルモータ２５の駆動を制御する駆動制御基板２８（図８参照）が設けられており、この駆動制御基板２８は、フレキシブル基板２９により制御基板３０に接続されている。
【００１８】
ケース本体７は、トレイユニット収納部３１と、このトレイユニット収納部３１の横に位置するディスク収納部３２とを備えている。このディスク収納部３２は、不要なスペースをなくすために、トレイユニット収納部３１よりも底が上がっている。
【００１９】
トレイユニット収納部３１は、四角形をした底部３１ｄを囲むように、左側壁３１ａと、後端壁３１ｂと、右側壁３１ｃとが形成されている。トレイユニット収納部３１の前側は開口しており、トレイユニット５の出し入れを可能にしている。左側壁３１ａは、上カバー８を支持するために上部が直角に折り曲げられて、断面がＬ字形をしている。右側壁３１ｃは、後端部だけが高く、残り部分は高さが低く、そのままディスク収納部３２の底部３２ａに連なっている。右側壁３１ｃの後端部の一部であって、後端壁３１ｂとの角に位置する部分は、上カバー８を支持するために上部が直角に折り曲げられている。
【００２０】
ディスク収納部３２は、底部３２ａと、この底部３２ａから垂直に起立した側壁３２ｂとから構成されている。側壁３２ｂは、ディスク収納部３２の前側の全部と、後側の一部とが切り欠かれている。また、側壁３２ｂの一部は、上カバー８を支持するために上部が折り曲げられている。
【００２１】
トレイユニット収納部３１の折り曲げ部と、ディスク収納部３２の折り曲げ部には、４本のビス３４ａ〜３４ｄがそれぞれ螺合するネジ孔３３ａ〜３３ｄが形成されている。上カバー８は、これらの折り曲げ部に重ねられ、ビス３４ａ〜３４ｄでケース本体７に固定される。
【００２２】
上カバー８は、ケース本体７のトレイユニット収納部３１とディスク収納部３２とを覆う形状をしている。上カバー８は、前側を除いた周囲が下方に折り曲げられており、上カバー８をケース本体７に取り付けたときに、ケース本体７の左側壁３１ａ、後端壁３１ｂ、及び右側壁３１ｃの外側に重なる。なお、符号３６ａ〜３６ｄは、ビス３４ａ〜３４ｄを通すためのビス孔である。
【００２３】
図４〜図６に示すように、ディスク収納部３２の側壁３２ｂの内面には、ディスク４の周縁に接触するシリコンゴム製のディスク接触パッド４１が貼り付けられている。このディスク接触パッド４１は、トレイユニット５が引出し位置と格納位置との間の所定区間Ａ（図５に実線で示す第１所定位置から、図５に二点鎖線で示し図６に実線で示す第２所定位置までの区間）を移動するときに、ディスク４の周縁に接触する。
【００２４】
左側壁３１ａの内面には、レイユニット５が所定区間Ａに移動したことを検出するトレイ移動検出スイッチ４３が設けられている。このトレイ移動検出スイッチ４３は、本体部４３ａと、この本体部４３ａから突出する方向にバネ付勢されたスイッチ片４３ｂとを備えている。
【００２５】
ディスクトレイ１７の左側面には、スイッチ片４３ｂを押圧する第１凸部１７ａと第２凸部１７ｂとが形成されている。トレイユニット５が第１所定位置に移動したときに、第１凸部１７ａはスイッチ片４３ｂを押圧してトレイ移動検出スイッチ４３をオンし、トレイ検出信号を出力する。また、トレイユニット５が第２所定位置に移動したときに、第２凸部１７ｂはスイッチ片４３ｂを押圧してトレイ移動検出スイッチ４３をオンする。
【００２６】
後端壁３１ｂの内面には、トレイユニット５が格納位置に位置することを検出する格納位置検出スイッチ４５が設けられている。この格納位置検出スイッチ４５は、本体部４５ａと、この本体部４５ａから突出する方向にバネ付勢されたスイッチ片４５ｂとを備えている。格納位置検出スイッチ４５は、図７に示すように、ディスクトレイ１７の後面によりスイッチ片４５ｂが押圧されてオンすると、格納位置検出信号を出力する。また、格納位置検出スイッチ４５は、ディスクトレイ１７が格納位置から引出し位置に向けて移動を開始し、ディスクトレイ１７による押圧が解除されてオフすると、格納位置検出信号の出力を停止する。
【００２７】
ディスクトレイ１７には、トレイユニット５をイジェクトするためのイジェクトシャフト４８が、前後方向に移動自在に設けられている。このイジェクトシャフト４８は、コイルバネ（図示せず）に挿通されている。トレイユニット５が格納位置に向けて移動して所定区間Ａ内を移動中に、イジェクトシャフト４８の後端がケース本体７の後側内壁に当接する。このイジェクトシャフト４８は、コイルバネを圧縮しながら前方に移動する。これにより、トレイユニット５が格納位置でロックされると、コイルバネが蓄勢された状態となる。イジェクトシャフト４８及びコイルバネは、所定区間Ａ内から格納位置までのバネ付勢区間Ｂ（図９及び図１０参照）において、トレイユニット５を引出し位置に向けて付勢する。
【００２８】
図８に示すように、駆動制御基板２８には、スレッドモータ２０及びスピンドルモータ２５の駆動を制御するモータ駆動制御回路５１が設けられている。このモータ駆動制御回路５１は、ディスク４にデータを記録／再生するときには、スピンドルモータ２５を高速回転（例えば３０００ｒｐｍ）させ、トレイユニット５を移動させるときには、スピンドルモータ２５を低速回転（例えば２００ｒｐｍ）させる。
【００２９】
制御基板３０には、制御回路５２が設けられている。この制御回路５２は、トレイ移動検出スイッチ４３と格納位置検出スイッチ４５とのスイッチ動作に基づいて、トレイユニット５の移動方向を判断する。この判断結果に基づいて、制御回路５２は、モータ駆動制御回路５１に、駆動信号を出力する。
【００３０】
制御回路５２は、最初にトレイ移動検出スイッチ４３がオンしてトレイ検出信号が入力されると、トレイユニット５が引出し位置から格納位置に向けた押込み方向に移動していると判断し、最初に格納位置検出スイッチ４５がオフして格納位置検出信号の入力が停止されると、トレイユニット５が格納位置から引出し位置に向けた引出し方向に移動していると判断する。
【００３１】
次に、ディスク装置２の作用について説明する。ディスク４を装填するときには、トレイユニット５を引出し位置まで引き出す。チャッキングヘッド２７にディスク４を装着してから、フロントベゼル６を手で押すと、トレイユニット５は格納位置に向けて押込み方向に移動する。
【００３２】
トレイユニット５の押込みでは、図９に示すように、トレイユニット５が所定区間Ａの第１所定位置（図５参照）まで移動すると、トレイ移動検出スイッチ４３は、ディスクトレイ１７の第１凸部１７ａにより押圧されてオンとなり、制御回路５２にトレイ検出信号を出力する。制御回路５２は、最初にトレイ検出信号が入力されたことに応じて、トレイユニット５が格納位置に向かって押込み方向に移動していると判断する。この場合は、制御回路５２は、モータ駆動制御回路５１に第１駆動信号を出力する。モータ駆動制御回路５１は、第１駆動信号の入力に応じて、スピンドルモータ２５を、Ｃ方向（図５参照）に低速回転する。このスピンドルモータ２５の回転によりターンテーブル２６が回転し、ターンテーブル２６にセットされたディスク４が回転する。なお、Ｃ方向は、ディスク４にデータを記録／再生するときの回転方向と同一である。
【００３３】
ディスク４がＣ方向に回転すると、回転するディスク４とディスク接触パッド４１との摩擦により、トレイユニット５を格納位置に向けて移動する移動力Ｆ１（図５参照）が発生し、この移動力Ｆ１によりトレイユニット５の格納位置に向けた移動がアシストされる。
【００３４】
トレイユニット５が所定区間Ａの第２所定位置まで移動すると、トレイ移動検出スイッチ４３は、ディスクトレイ１７の第２凸部１７ｂにより押圧されてオンとなり、制御回路５２にトレイ検出信号を出力する。制御回路５２は、スピンドルモータ２５をＣ方向に低速回転させている状態でトレイ検出信号が入力されたことに応じて、モータ駆動制御回路５１に第２駆動信号を出力する。モータ駆動制御回路５１は、第２駆動信号の入力に応じて、スピンドルモータ２５を、Ｃ方向に高速回転する。このように、格納位置の手前からディスク４を高速回転させるから、格納位置でディスク４の高速回転を開始させるものよりも、ディスク４にデータの記録／再生を開始するまでの時間（起動時間）を短くすることができる。
【００３５】
トレイユニット５が格納位置に移動してロックされると、格納位置検出スイッチ４５は、ディスクトレイ１７の後面により押圧されてオンとなり、制御回路５２に格納位置検出信号を出力する。制御回路５２は、格納位置検出信号の入力に応じて、モータ駆動制御回路５１に記録／再生信号を出力する。駆動制御基板２８は、記録／再生信号の入力に応じて、スレッドモータ２０を駆動してピックアップヘッド１８をディスク４の半径方向に移動し、高速回転中のディスク４にデータを記録／再生する。
【００３６】
また、トレイユニット５が所定区間Ａ内を移動中に、イジェクトシャフト４８の後端がケース本体７の後側内壁に当接する。これによって、イジェクトシャフト４８は、コイルバネを圧縮しながら前方に移動して、コイルバネは蓄積された状態となる。
【００３７】
トレイユニット５を引出し位置に引き出すときは、フロントベゼル６に設けられたイジェクトボタン６ａを押圧する。イジェクトボタン６ａを押圧すると、トレイユニット５の格納位置でのロックが解除される。トレイユニット５のロックが解除されると、イジェクトシャフト４８は、蓄勢されたコイルバネの付勢により後方に移動し、ケース本体７の後側内壁を押すから、トレイユニット５はバネ付勢区間Ｂにおいて引出し位置に向けて移動する。
【００３８】
図１０に示すように、トレイユニット５が引出し位置に向けて移動すると、格納位置検出スイッチ４５はオフとなり、制御回路５２への格納位置検出信号の出力を停止する。制御回路５２は、格納位置検出信号の入力が停止したことに応じて、トレイユニット５が引出し位置に向かって引出し方向に移動していると判断する。この場合は、制御回路５２は、モータ駆動制御回路５１に第３駆動信号を出力する。モータ駆動制御回路５１は、第３駆動信号の入力に応じて、スピンドルモータ２５をＣ方向とは逆向きのＤ方向（図６参照）に低速回転する。このスピンドルモータ２５の回転によりディスク４が回転する。
【００３９】
ディスク４がＤ方向に回転された状態で、トレイユニット５が格納位置から第２所定位置（図６参照）まで移動すると、回転するディスク４とディスク接触パッド４１との摩擦により、トレイユニット５を引出し位置に向けて移動する移動力Ｆ２（図６参照）が発生し、この移動力Ｆ２によりトレイユニット５が引出し位置に向けて自走する。また、トレイユニット５が第２所定位置まで移動すると、トレイ移動検出スイッチ４３は、ディスクトレイ１７の第１凸部１７ａにより押圧されてオンとなり、制御回路５２に１回目のトレイ検出信号を出力する。
【００４０】
トレイユニット５が第１所定位置（図５参照）まで自走すると、トレイ移動検出スイッチ４３は、ディスクトレイ１７の第１凸部１７ａにより押圧されてオンとなり、制御回路５２に２回目のトレイ検出信号を出力する。制御回路５２は、この２回目のトレイ検出信号の入力に応じて、モータ駆動制御回路５１に停止信号を出力する。モータ駆動制御回路５１は、停止信号の入力に応じて、スピンドルモータ２５の回転を停止する。このスピンドルモータ２５の回転停止によりディスク４の回転が停止する。スピンドルモータ２５は、ディスク４の記録／再生時に比べて低速回転しているから、トレイユニット５が引出し位置まで自走する間に、回転が停止する。
【００４１】
なお、上記実施形態では、ディスク４がディスク接触パッド４１に接触する所定区間Ａと、イジェクトシャフト４８及びコイルバネによりトレイユニット５を付勢するバネ付勢区間Ｂとを連続させているが、これらの間に空きを形成してもよい。この場合は、トレイユニット５を手で引き出すときに、回転するディスク４とディスク接触パッド４１との摩擦により、トレイユニット５の移動がアシストされる。
【００４２】
また、上記実施形態では、トレイユニット５が格納位置から引出し位置に向けて移動を開始したときに、スピンドルモータ２５をＤ方向に低速で回転しているが、トレイユニット５が格納位置から引出し位置に向けて移動を開始したときには、スピンドルモータ２５の回転を停止し、トレイユニット５が格納位置から所定区間Ａに移動してから、スピンドルモータ２５を低速回転させてもよい。
【００４３】
さらに、上記実施形態では、トレイユニット５を格納位置に向けた押込み方向と引出し位置に向けた引出し方向との両方に移動しているが、少なくとも一方向に移動すればよい。
【００４４】
また、上記実施形態では、トレイユニット５が第１所定位置と第２所定位置との間で移動するときに同じ回転速度でスピンドルモータ２５を回転しているが、回転速度を増大または減速させてもよい。
【００４５】
さらに、ディスク接触パッド４１を、所定区間Ａ内で複数個に分断してもよい。
【００４６】
また、上記実施形態では、ディスク接触パッド４１を側壁３２ｂの内側に設けているが、反対側の側壁、すなわちケース本体７の左側壁３１ａの内側に設けることもできる。ディスク接触パッド４１を左側壁３１ａの内側に設ける場合、トレイユニット５が格納位置に向けて移動しているときの所定区間ＡではＤ方向、トレイユニット５が引出し位置に向けて移動しているときの所定区間ＡではＣ方向にスピンドルモータ２５を低速回転させることになる。ただし、起動時間短縮化のためには、記録／再生時の回転方向との関係から、上記実施形態の如く、ディスク接触パッド４１を側壁３２ｂの内側に設けることが好ましい。
【００４７】
さらに、上記実施形態では、ノートパソコンに内蔵するディスク装置について説明したが、外付けタイプのディスク装置にも、本発明を利用することができる。
【符号の説明】
【００４８】
２  ディスク装置
５  トレイユニット
１７  ディスクトレイ
１７ａ  第１凸部
１７ｂ  第２凸部
１９  ディスク駆動部
２８  駆動制御基板
３０  制御基板
４１  ディスク接触パッド
４３  トレイ移動検出スイッチ
４５  格納位置検出スイッチ
５１  モータ駆動制御回路
５２  制御回路
【図１】
2010176737.tif 000003
【図２】
2010176737.tif 000004
【図３】
2010176737.tif 000005
【図４】
2010176737.tif 000006
【図５】
2010176737.tif 000007
【図６】
2010176737.tif 000008
【図７】
2010176737.tif 000009
【図８】
2010176737.tif 000010
【図９】
2010176737.tif 000011
【図１０】
2010176737.tif 000012